(57)【要約】【課題】低フレームレートでしか映像データを再生することができない装置でも、高フレームレートで記録された映像データを高フレームレートと同じ時間軸で再生可能とする記録再生装置を提供する。【解決手段】記録再生装置１００は、映像データを低フレームレートで再生するときは、ＦＡＴ１１１を、高フレームレートの映像データを構成する第１のフレームデータ群の各配置情報が登録されているＨＦＲ用テーブルから、第１のフレームデータ群の中から所定のフレーム間隔で選択された第２のフレームデータ群の各配置情報が登録されているＬＦＲ用テーブルに切り替える切替部１０４ｂと、映像データを低フレームレートで再生するときは、ＦＡＴ１１１を切り替えた後に、ファイルシステム１０６を介して記録媒体１１０から読み出されたフレームデータから構成される低フレームレートの映像データを再生する再生部１０２ｂとを備える。【選択図】図８
2008283579.tif 000002
【特許請求の範囲】
【請求項１】
記録媒体に記録されているファイル管理情報に基づいて前記記録媒体に対して所定のサイズでデータを読み書きするファイルシステムを介して映像データを再生する記録再生装置であって、
前記映像データを低フレームレートで再生するときは、前記ファイル管理情報を、高フレームレートの映像データを構成する第１のフレームデータ群の各配置情報が登録されている高フレームレート用管理情報から、前記第１のフレームデータ群の中から所定のフレーム間隔で選択された第２のフレームデータ群の各配置情報が登録されている低フレームレート用管理情報に切り替える切替手段と、
前記映像データを低フレームレートで再生するときは、前記ファイル管理情報を切り替えた後に、前記ファイルシステムを介して前記記録媒体から読み出されたフレームデータから構成される低フレームレートの映像データを再生する再生手段とを備える
ことを特徴とする記録再生装置。
【請求項２】
前記高フレームレート用管理情報は、前記ファイル管理情報として前記記録媒体のデータ管理領域に記録され、
前記低フレームレート用管理情報は、前記第１のフレームデータ群と一緒に前記記録媒体のデータ記録領域に記録されており、
前記切替手段は、前記データ管理領域に記録されている前記高フレームレート用管理情報と、前記データ記録領域に記録されている前記低フレームレート用管理情報とを入れ替えることで、前記ファイル管理情報を切り替える
ことを特徴とする請求項１に記載の記録再生装置。
【請求項３】
前記高フレームレート用管理情報は、前記ファイル管理情報として前記記録媒体のデータ管理領域に記録され、
前記低フレームレート用管理情報は、前記第１のフレームデータ群と一緒に前記記録媒体のデータ記録領域に記録されており、
前記ファイルシステムは、前記ファイル管理情報として前記データ管理領域に記録されている前記高フレームレート用管理情報をキャッシュ領域に記憶し、
前記切替手段は、前記キャッシュ領域に記憶されている前記高フレームレート用管理情報を、前記データ記録領域に記録されている前記低フレームレート用管理情報で書き換えることで、前記ファイル管理情報を切り替える
ことを特徴とする請求項１に記載の記録再生装置。
【請求項４】
記録媒体に記録されているファイル管理情報に基づいて前記記録媒体に対して所定のサイズでデータを読み書きするファイルシステムを介して映像データを記録する記録再生装置であって、
高フレームレートの映像データを構成する第１のフレームデータ群を、前記ファイルシステムを介して前記記録媒体に記録する記録手段と、
前記ファイル管理情報であって前記第１のフレームデータ群の各配置情報が登録されている高フレームレート用管理情報から、前記第１のフレームデータ群の中から所定のフレーム間隔で選択された第２のフレームデータ群の各配置情報が登録されている低フレームレート用管理情報を作成する作成手段とを備える
ことを特徴とする記録再生装置。
【請求項５】
前記記録再生装置は、前記映像データが前記記録媒体から読み出されるときに、前記ファイル管理情報を前記高フレームレート用管理情報から前記低フレームレート用管理情報に切り替える切替手段を備える
ことを特徴とする請求項４に記載の記録再生装置。
【請求項６】
記録媒体に記録されているファイル管理情報に基づいて前記記録媒体に対して所定のサイズでデータを読み書きするファイルシステムを介して映像データを記録再生する記録再生装置であって、
高フレームレートの映像データを構成する第１のフレームデータ群を、前記ファイルシステムを介して前記記録媒体に記録する記録手段と、
前記ファイル管理情報であって前記第１のフレームデータ群の各配置情報が登録されている高フレームレート用管理情報から、前記第１のフレームデータ群の中から所定のフレーム間隔で選択された第２のフレームデータ群の各配置情報が登録されている低フレームレート用管理情報を作成する作成手段と、
前記映像データを低フレームレートで再生するときは、前記ファイル管理情報を前記高フレームレート用管理情報から前記低フレームレート用管理情報に切り替える切替手段と、
前記映像データを低フレームレートで再生するときは、前記ファイル管理情報を切り替えた後に、前記ファイルシステムを介して前記記録媒体から読み出されたフレームデータから構成される低フレームレートの映像データを再生する再生手段とを備える
ことを特徴とする記録再生装置。
【請求項７】
記録媒体に記録されているファイル管理情報に基づいて前記記録媒体に対して所定のサイズでデータを読み書きするファイルシステムを介して映像データを記録再生する記録再生方法であって、
高フレームレートの映像データを構成する第１のフレームデータ群を、前記ファイルシステムを介して前記記録媒体に記録する記録ステップと、
前記ファイル管理情報であって前記第１のフレームデータ群の各配置情報が登録されている高フレームレート用管理情報から、前記第１のフレームデータ群の中から所定のフレーム間隔で選択された第２のフレームデータ群の各配置情報が登録されている低フレームレート用管理情報を作成する作成ステップと、
前記映像データを低フレームレートで再生するときは、前記ファイル管理情報を前記高フレームレート用管理情報から前記低フレームレート用管理情報に切り替える切替ステップと、
前記映像データを低フレームレートで再生するときは、前記ファイル管理情報を切り替えた後に、前記ファイルシステムを介して前記記録媒体から読み出されたフレームデータから構成される低フレームレートの映像データを再生する再生ステップとを含む
ことを特徴とする記録再生方法。
【請求項８】
記録媒体に記録されているファイル管理情報に基づいて前記記録媒体に対して所定のサイズでデータを読み書きするファイルシステムを介して映像データを記録再生する記録再生プログラムであって、
高フレームレートの映像データを構成する第１のフレームデータ群を、前記ファイルシステムを介して前記記録媒体に記録する記録ステップと、
前記ファイル管理情報であって前記第１のフレームデータ群の各配置情報が登録されている高フレームレート用管理情報から、前記第１のフレームデータ群の中から所定のフレーム間隔で選択された第２のフレームデータ群の各配置情報が登録されている低フレームレート用管理情報を作成する作成ステップと、
前記映像データを低フレームレートで再生するときは、前記ファイル管理情報を前記高フレームレート用管理情報から前記低フレームレート用管理情報に切り替える切替ステップと、
前記映像データを低フレームレートで再生するときは、前記ファイル管理情報を切り替えた後に、前記ファイルシステムを介して前記記録媒体から読み出されたフレームデータから構成される低フレームレートの映像データを再生する再生ステップとをコンピュータシステムに実行させる
ことを特徴とする記録再生プログラム。
【発明の詳細な説明】
【技術分野】
【０００１】
本発明は、映像データをファイルとして記録媒体に記録し、ファイルとして記録媒体に記録されている映像データの配置情報が登録されているファイル管理情報を記録媒体に記録し、再生時にはファイル管理情報に基づいて、ファイルとして記録媒体に記録されている映像データを再生する記録再生装置に関する。
【背景技術】
【０００２】
近年、デジタルビデオカメラ等の映像撮影装置において、高いフレームレートで撮影を行うことができて映像の滑らかさや詳細度を向上させた機種が多くなってきている。
【０００３】
ここで、高フレームレートの映像は、データサイズが大きくなり、インターネットなどで映像を配信する場合に高い転送速度が要求される。また、映像を扱うための処理負荷も大きくなるため、編集や再生を行うための装置が限られてくる。そこで、これらのことに対処するために、映像のフレームレートを落とす必要がある。
【０００４】
これについて、従来、次のような技術が提案されている。記録装置において高フレームレートの映像を符号化して記録する場合に次の処理を行う。高フレームレートの映像データを符号化する。さらに、フレームレート情報に低フレームレートを示す情報を符号化後のデータに付加する。これによって、低フレームレートにしか対応していない他の再生装置においても、ゆっくりと再生することができる（例えば、特許文献１参照。）。
【特許文献１】特開２００２−９４９３９号公報
【発明の開示】
【発明が解決しようとする課題】
【０００５】
しかしながら、上記の処理を採用した再生装置では、高フレームレートの映像データの各フレームを低フレームレートで再生するときに、映像と音声の時間軸がずれてしまう問題がある。
【０００６】
そこで、本発明は、上記問題に鑑みてなされたものであり、低フレームレートでしか映像データを再生することができない装置でも、高フレームレートで記録された映像データを高フレームレートと同じ時間軸で再生可能とする記録再生装置を提供することを目的とする。
【課題を解決するための手段】
【０００７】
上記目的を達成するために、本発明に係わる記録再生装置は、（ａ）記録媒体に記録されているファイル管理情報に基づいて前記記録媒体に対して所定のサイズでデータを読み書きするファイルシステムを介して映像データを再生する記録再生装置であって、（ａ１）前記映像データを低フレームレートで再生するときは、前記ファイル管理情報を、高フレームレートの映像データを構成する第１のフレームデータ群の各配置情報が登録されている高フレームレート用管理情報から、前記第１のフレームデータ群の中から所定のフレーム間隔で選択された第２のフレームデータ群の各配置情報が登録されている低フレームレート用管理情報に切り替える切替手段と、（ａ２）前記映像データを低フレームレートで再生するときは、前記ファイル管理情報を切り替えた後に、前記ファイルシステムを介して前記記録媒体から読み出されたフレームデータから構成される低フレームレートの映像データを再生する再生手段とを備える。
【０００８】
これによって、高フレームレートで記録された映像データを、低フレームレートで記録された映像データのように、アクセスすることができる。このため、高フレームレートで記録された映像データを高フレームレートと同じ時間軸で再生することができる。
【０００９】
または、本発明に係わる記録再生装置は、（ｂ）記録媒体に記録されているファイル管理情報に基づいて前記記録媒体に対して所定のサイズでデータを読み書きするファイルシステムを介して映像データを記録する記録再生装置であって、（ｂ１）高フレームレートの映像データを構成する第１のフレームデータ群を、前記ファイルシステムを介して前記記録媒体に記録する記録手段と、（ｂ２）前記ファイル管理情報であって前記第１のフレームデータ群の各配置情報が登録されている高フレームレート用管理情報から、前記第１のフレームデータ群の中から所定のフレーム間隔で選択された第２のフレームデータ群の各配置情報が登録されている低フレームレート用管理情報を作成する作成手段とを備える。
【００１０】
これによって、低フレームレートでしか映像データを再生することができない装置でも、ファイル管理情報として低フレームレート用管理情報を使用することで、高フレームレートで記録された映像データを、低フレームレートで記録された映像データのように、アクセスすることができる。このため、高フレームレートで記録された映像データを高フレームレートと同じ時間軸で再生することができる。
【００１１】
なお、本発明は、記録再生装置として実現されるだけではなく、記録再生方法、記録再生方法をコンピュータシステムに実行させる記録再生プログラム、記録再生プログラムを記録した記録媒体などとして実現されるとしてもよい。
【発明の効果】
【００１２】
本発明によれば、高フレームレートで記録された映像データを低フレームレートで再生するときは、高フレームレートと同じ時間軸を維持したまま低フレームレートで再生することを可能にさせるファイル管理情報を利用する。これによって、低フレームレートでしか映像データを再生することができない装置でも、映像と音声の時間軸がずれることなく、高フレームレートで記録された映像データを再生することができる。
【発明を実施するための最良の形態】
【００１３】
以下、図面に基づき本発明の実施形態について説明する。
【００１４】
（実施の形態）
本実施の形態における記録再生装置は、下記（ａ）に示される特徴を備える。
【００１５】
（ａ）記録媒体に記録されているファイル管理情報に基づいて記録媒体に対して所定のサイズでデータを読み書きするファイルシステムを介して映像データを記録再生する記録再生装置であって、（ａ１）高フレームレートの映像データを構成する第１のフレームデータ群を、ファイルシステムを介して記録媒体に記録する記録機能と、（ａ２）ファイル管理情報であって第１のフレームデータ群の各配置情報が登録されている高フレームレート用管理情報から、第１のフレームデータ群の中から所定のフレーム間隔で選択された第２のフレームデータ群の各配置情報が登録されている低フレームレート用管理情報を作成する作成機能と、（ａ３）映像データを低フレームレートで再生するときは、ファイル管理情報を高フレームレート用管理情報から低フレームレート用管理情報に切り替える切替機能と、（ａ４）映像データを低フレームレートで再生するときは、ファイル管理情報を切り替えた後に、ファイルシステムを介して記録媒体から読み出されたフレームデータから構成される低フレームレートの映像データを再生する再生機能とを備える。
【００１６】
なお、下記（ｂ）〜（ｄ）のいずれかに示される特徴を備えるとしてもよい。
（ｂ）（ｂ１）高フレームレート用管理情報が、ファイル管理情報として記録媒体のデータ管理領域に記録され、（ｂ２）低フレームレート用管理情報が、第１のフレームデータ群と一緒に記録媒体のデータ記録領域に記録されている場合は、（ｂ３）切替機能は、データ管理領域に記録されている高フレームレート用管理情報と、データ記録領域に記録されている低フレームレート用管理情報とを入れ替えることで、ファイル管理情報を切り替える。
【００１７】
（ｃ）（ｃ１）高フレームレート用管理情報が、ファイル管理情報として記録媒体のデータ管理領域に記録され、（ｃ２）低フレームレート用管理情報が、第１のフレームデータ群と一緒に記録媒体のデータ記録領域に記録され、（ｃ３）ファイルシステムが、ファイル管理情報としてデータ管理領域に記録されている高フレームレート用管理情報をキャッシュ領域に記憶する場合は、（ｃ４）切替機能は、キャッシュ領域に記憶されている高フレームレート用管理情報を、データ記録領域に記録されている低フレームレート用管理情報で書き換えることで、ファイル管理情報を切り替える。
【００１８】
（ｄ）切替機能は、映像データが前記記録媒体から読み出されるときに、ファイル管理情報を高フレームレート用管理情報から低フレームレート用管理情報に切り替える。
【００１９】
以上の点を踏まえて、本実施の形態における記録再生装置について説明する。なお、ここでは、一例として、記録機能、作成機能、切替機能、再生機能の各機能が１台の装置に備わる場合について説明する。しかし、記録媒体やデータ通信網などを介して複数の装置の間で適宜連係することができれば、これらの各機能が別々の装置に備わるとしてもよい。
【００２０】
まず、本実施の形態における記録再生装置の構成について説明する。
図１は、本実施の形態における記録再生装置の概要を示す図である。図１に示されるように、記録再生装置１００は、低フレームレートで再生されることも想定して、高フレームレートで映像データを、ハードディスクやメモリカードのような記録媒体に記録する。そして、低フレームレートで再生するときは、高フレームレートで記録した映像データを、低フレームレートで記録した映像データのように読み出して再生する。ここでは、一例として、記録媒体としてメモリカードとし、１０８０／６０ｐで記録する。そして、最大表示１０８０／３０ｐのテレビ１５０にあわせて、１０８０／３０ｐで再生する場合について説明する。
【００２１】
図２は、本実施の形態における記録再生装置１００の構成を示す図である。図２に示されるように、記録再生装置１００は、システム制御部１０１、Ｉ／Ｏバス１２０、記録媒体１１０、ユーザによる指示を受け付ける入力部１３０、映像信号が入力される映像入力部１３２、映像信号を符号化するエンコーダ１３１、音声信号が入力される音声入力部１３５、映像信号を復号化するデコーダ１３３、復号化された映像信号を出力する映像出力部１３４と、音声信号を出力する音声出力部１３６を備える。
【００２２】
システム制御部１０１は、例えば、ＣＰＵとメモリとを含むコンピュータによって実現される。映像ファイル処理部１０２、音声ファイル処理部１０３、配置情報処理部１０４、クリップ管理処理部１０５、ファイルシステム１０６、ファイルシステム用メモリ１０７、記録バッファメモリ１０８、再生バッファメモリ１０９を備える。システム制御部１０１に備わる各処理部は、ＣＰＵで各種のプログラムを実行することによって実現される。システム制御部１０１に備わる各メモリは、用途ごとに用意された記憶装置によって実現されるとしてもよいし、また、記憶装置の記憶領域を用途ごとに分けられた記憶領域によって実現されるとしてもよい。
【００２３】
システム制御部１０１内のファイルシステム１０６は、ブロック単位で記録されるファイルを、各ブロックの配置情報に基づいて管理する。例えば、ＦＡＴ（Ｆｉｌｅ  Ａｌｌｏｃａｔｉｏｎ  Ｔａｂｌｅ）と呼ばれるファイル管理情報を使用してファイルを管理するＦＡＴファイルシステムがある。ＦＡＴファイルシステムでは、クラスタと呼ばれるブロックでデータが管理される。さらに、ディレクトリエントリと呼ばれる情報から、ファイル名、作成日時、ファイル属性、ファイルサイズ、開始クラスタ等のように、ファイルやディレクトリに関する情報が取得される。また、データの配置を管理するＦＡＴにはファイルに割り当てられたクラスタの位置・順番等の情報が記録されている。
【００２４】
図３は、本実施の形態における記録再生装置１００の記録時の概要を示す図である。図３に示されるように、記録媒体１１０は、ＦＡＴファイルシステム等のようなファイルシステムがアクセス可能な形式でフォーマットされている。システム制御部１０１内のファイルシステム１０６によって、記録媒体１１０のデータ記録領域１１０ｂにファイルが書き込まれるときは、記録媒体１１０のデータ管理領域１１０ａに記録されているＦＡＴ１１１も更新される。
【００２５】
映像入力部１３２に入力された映像信号は、エンコーダ１３１においてクラスタサイズの倍数となるように圧縮される。例えば、クラスタサイズが３２ＫＢであるときは、映像信号の１フレームのデータサイズが３２ＫＢの倍数である６４ＫＢなどになるように、映像信号が圧縮される。圧縮された映像データは、映像ファイル処理部１０２の記録部１０２ａにおいてＭＸＦ（Ｍａｔｅｒｉａｌ  Ｅｘｃｈａｎｇｅ  Ｆｏｒｍａｔ）形式でファイル化される。このとき、ファイルシステム１０６を介して記録媒体１１０に映像ファイル１１２として記録される。
【００２６】
音声入力部１３５に入力された音声データは、音声ファイル処理部１０３の記録部１０３ａにおいてＷａｖｅ形式でファイル化される。このとき、ファイルシステム１０６を介して記録媒体１１０に音声ファイル１１３として記録される。
【００２７】
なお、映像データと音声データを別ファイルにするのは、放送局などの業務用途では、映像データと音声データを個別に編集することが多く、業務用途のノンリニア編集機では映像データと音声データを別ファイルとするのが一般的であるためである。ここで、映像ファイルと音声ファイルの組み合わせをクリップと呼ぶ。
【００２８】
映像データや音声データのフレームレートやフレーム数、データのサイズ等の情報を管理したり、関連付けたりするためのクリップ管理情報は、クリップ管理処理部１０５の高フレームレート用作成部１０５ａ（以下、ＨＦＲ用作成部１０５ａと略称する。）において作成されテキスト形式でファイル化される。このとき、ファイルシステム１０６を介して記録媒体１１０に高フレームレート用クリップファイル１１５ａ（以下、ＨＦＲ用クリップファイル１１５ａとして略称する。）として記録される。また、低フレームレート用のクリップ管理情報も低フレームレート用作成部１０５ｂ（以下、ＬＦＲ用作成部１０５ｂと略称する。）において作成され、同様に低フレームレート用クリップファイル１１５ｂ（以下、ＬＦＲ用クリップファイル１１５ｂと略称する。）として記録される。
【００２９】
ここで、映像ファイル１１２、音声ファイル１１３、ＨＦＲ用クリップファイル１１５ａ、およびＬＦＲ用クリップファイル１１５ｂは、次のようなディレクトリ構成で記録媒体１１０に記録されている。
【００３０】
図４は、本実施の形態におけるクリップのディレクトリ配置を示す図である。図４に示されるように、映像ファイル１１２は、ＶＩＤＥＯディレクトリに、音声ファイル１１３は、ＡＵＤＩＯディレクトリに、ＨＦＲ用クリップファイル１１５ａ、ＬＦＲ用クリップファイル１１５ｂは、ＣＬＩＰディレクトリに配置されている（ディレクトリツリー１４０）。
【００３１】
これによって、ＣＬＩＰディレクトリのすべてのＨＦＲ用クリップファイルまたはＬＦＲ用クリップファイルを参照することで、記録媒体１１０に記録されているすべてのクリップの情報を取得することができる。
【００３２】
次に、低フレームレート用のクリップ管理情報について説明する。
図５は、本実施の形態におけるＨＦＲ用クリップファイル１１５ａのデータ構造を示す図である。図５に示されるように、ＨＦＲ用クリップファイル１１５ａは、テキスト形式のファイルとして記録されている。また、ＨＦＲ用クリップファイル１１５ａを構成する各要素は、タグで囲まれている。  例えば、ＨＦＲ用クリップファイル１１５ａにおけるＤｕｒａｔｉｏｎのタグで囲まれた要素は、映像データの全フレーム数である。ＶｉｄｅｏＦｏｒｍａｔのタグで囲まれた要素は、映像ファイルのファイル形式である。ここでは、ＭＸＦ形式であることが示されている。ＦｒａｍｅＲａｔｅのタグで囲まれた要素は、映像データのフレームレートである。ＤａｔａＳｉｚｅのタグで囲まれた要素は、バイト単位で示された映像データのサイズである。
【００３３】
したがって、低フレームレートとしてフレームレートを半分にする場合には、クリップ管理処理部１０５は、次のようにすることで、ＨＦＲ用クリップファイル１１５ａからＬＦＲ用クリップファイル１１５ｂを作成することができる。
【００３４】
図６は、本実施の形態におけるＬＦＲ用クリップファイル１１５ｂのデータ構造を示す図である。図６に示されるように、まず、ＨＦＲ用クリップファイル１１５ａにおけるＤｕｒａｔｉｏｎのタグで囲まれた要素の値を半分にする。これによって、映像データのフレーム数が半分になることを意味する、また、ＦｒａｍｅＲａｔｅのタグで囲まれた要素の値を半分のフレームレートを意味する値に変更する。つまり、ＦｒａｍｅＲａｔｅのタグで囲まれた要素の値が６０フレームのプログレッシブであることを示す６０ｐの場合には、３０フレームのプログレッシブであることを示す３０ｐに変更する。さらに、フレーム数を半分にすると、データサイズも半分になるので、ＤａｔａＳｉｚｅのタグで囲まれた要素の値を半分にする。
【００３５】
なお、クリップファイルは、テキスト形式で記述されている場合に限られず、また、別の形式で各要素が区切られているとしてもよい。
【００３６】
次に、ＦＡＴについて説明する。
図７は、本実施の形態におけるデータ記録領域１１０ｂに記録されているデータの配置と、各テーブルとの対応関係を示す図である。図７に示されるように、データ記録領域１１０ｂには、ＨＦＲ用クリップファイル１１５ａ、ＬＦＲ用クリップファイル１１５ｂ、映像ファイル１１２、音声ファイル１１３がそれぞれクラスタ単位で記録されている。特に、映像ファイルは、エンコーダ１３１でクラスタサイズの倍数となるように圧縮されている。このため、複数のフレームのデータが１つのクラスタに記録されることはない。
【００３７】
そして、配置情報処理部１０４は、高フレームレートで記録された映像ファイルを低フレームレートでも再生可能なようにするために、ＦＡＴ１１１として通常使用される高フレームレート用テーブル（以下、ＨＦＲ用テーブルと略称する。）とは別に低フレームレート用テーブル（以下、ＬＦＲ用テーブルと略称する。）を作成する。
【００３８】
ここで、ＨＦＲ用テーブル（通常のＦＡＴ１１１）では、データ記録領域１１０ｂの各ファイルのクラスタチェーンが示される。すなわち、ファイルのディレクトリエントリにおける開始クラスタに対応する値（クラスタ番号）から次のクラスタがわかり、順に辿ることでファイルのデータが配置されているクラスタがわかる。なお、ここで、ＥＯＦは、ファイルの終端を表す値であり、ＲＳＶは、予約を表す値である。
【００３９】
ＬＦＲ用テーブルでは、映像ファイル１１２における偶数フレームデータに対応するクラスタが含まれないように、クラスタチェーンがつなぎかえられている。つまり、１フレームデータの最後のクラスタの次は３フレームデータの先頭のクラスタとし、順にファイルの終端まで続けることで、高フレームレートで記録された映像ファイル１１２を低フレームレートでも再生することができる。奇数フレームデータに対応するＦＡＴでの値は未使用を表す０以外の値を入れておく。これによって、奇数フレームデータの領域に新たにデータが上書きされることがなくなる。また、奇数フレームデータが記録されているクラスタを開始クラスタとして示すディレクトリエントリは存在しないことは言うまでもない。
【００４０】
なお、ＬＦＲ用テーブルは、映像データが高フレームレートで記録されてから低フレームレートで再生されるまでの間であれば、いつ作成されてもよい。例えば、ファイルシステム１０６によって映像ファイルおよびクリップファイルが記録媒体１１０に書き込まれるときに、低フレームレート用テーブルを作成するとしてもよい。
【００４１】
なお、ＬＦＲ用テーブルは、ＬＦＲ用ＦＡＴファイル１１４ａのように、ファイルとして記録媒体１１０のデータ記録領域１１０ｂに記録されるとしてもよいし、また、記録媒体１１０にデータ記録領域以外の記録可能な領域があれば、そこに記録されるとしてもよい。また、他の記録媒体に記録されるとしてもよい。
【００４２】
次に、高フレームレートで記録された映像データを低フレームレートで再生する場合について説明する。
【００４３】
例えば、ＦＡＴファイルシステムによって記録媒体１１０がマウントされたとする。この場合において、高フレームレートで記録された映像データを低フレームレートで再生するために、高フレームレートの映像データを低フレームレートの映像データのようにアクセスできる必要がある。
【００４４】
図８は、本実施の形態における記録再生装置１００の切替時の概要を示す図である。図８に示されるように、そこで、配置情報処理部１０４の切替部１０４ｂは、ＨＦＲ用テーブルとＬＦＲ用テーブルとを入れ替える。このとき、記録媒体１１０にＨＦＲ用テーブルのサイズ分の空き領域がある場合は、ＨＦＲ用テーブルをＨＦＲ用ＦＡＴファイル１１４ｂとしてデータ記録領域１１０ｂに記録し、ＬＦＲ用テーブルをデータ管理領域１１０ａに記録する。一方、記録媒体１１０にＨＦＲ用テーブルのサイズ分の空き領域がない場合は、ＨＦＲ用テーブルとＬＦＲ用テーブルとを所定のサイズずつメモリに読出し、互いを入れ替えながら、それぞれ記録する。
【００４５】
図９は、本実施の形態における記録再生装置１００の再生時の概要を示す図である。図９に示されるように、これによって、ＦＡＴファイルシステムは、ＨＦＲ用テーブルの代わりに、データ管理領域１１０ａに記録されたＬＦＲ用テーブルをＦＡＴ１１１として使用して、データ記録領域をアクセスする。そして、高フレームレートの映像データを低フレームレートの映像データのようにアクセスすることができる。
【００４６】
以上、再生時に、ＦＡＴ１１１として通常使用されるＨＦＲ用テーブルの代わりに、ＬＦＲ用テーブルをＦＡＴ１１１として利用することで、高フレームレートで記録された映像ファイルを低フレームレートでも再生することができる。
【００４７】
具体的には、高フレームレートで再生する場合は、ＨＦＲ用テーブルで記録媒体１１０をマウントし、ＨＦＲ用クリップファイルを使用する。
【００４８】
一方、低フレームレートで再生する場合は、ＬＦＲ用テーブルで記録媒体１１０をマウントし、ＬＦＲ用クリップファイルを使用する。
【００４９】
なお、記録時に、低フレームレート用クリップファイルや低フレームレート用テーブルを作成する代わりに、図１０に示されるように、後からまとめて記録媒体内のクリップに対して低フレームレート用クリップファイルや低フレームレート用テーブルを作成するとしてもよい。
【００５０】
図１１は、本実施の形態の変形例におけるＬＦＲ用クリップファイルとＬＦＲ用テーブルとの作成手順を示す図である。図１１に示されるように、まず、クリップ管理処理部２０５のＬＦＲ用作成部２０５ｂは、ＣＬＩＰディレクトリを参照し、クリップファイルがあるか確認する（Ｓ２０１）。クリップファイルがない場合は、ステップＳ２０４に進む、クリップファイルがある場合は、クリップファイルを参照し、そのクリップファイルがＨＦＲ用クリップファイルであるか確認する（Ｓ２０２）。ＨＦＲ用クリップファイルでない場合は、次のクリップファイルを参照するため、ステップＳ２０１に戻る。ＨＦＲ用クリップファイルである場合は、カウントし、そのクリップファイルを覚えておく（Ｓ２０３）。以上のステップＳ２０１〜Ｓ２０３を、全てのクリップファイルを参照するまで繰り返す。
【００５１】
次に、クリップ管理処理部２０５のＬＦＲ用作成部２０５ｂは、ステップＳ２０３でカウントしたクリップファイル数分のＬＦＲ用クリップファイルと、ＬＦＲ用テーブルとを記録するための空き容量が記録媒体１１０のデータ記録領域１１０ｂにあるか確認する（Ｓ２０４）。空き容量がなければ作成できないことを通知して終了する（Ｓ２０５）。なお、ＬＦＲ用テーブルを記録媒体１１０のデータ記録領域以外に記録する場合は、空き容量を確認する際に、ＬＦＲ用テーブルの容量を含めないことは言うまでもない。
【００５２】
次に、クリップ管理処理部２０５のＬＦＲ用作成部２０５ｂは、ステップＳ２０３で覚えておいたＨＦＲ用クリップファイルに対して（Ｓ２０６）、順に、ＬＦＲ用クリップファイルを作成する（Ｓ２０７）。配置情報処理部２０４の作成部２０４ａは、ＬＦＲ用テーブルを更新する（Ｓ２０８）。
【００５３】
これによって、クリップ管理処理部２０５のＬＦＲ用作成部２０５ｂは、記録媒体に記録されているＨＦＲ用クリップファイルに対しするＬＦＲ用クリップファイルを作成することができる。さらに、配置情報処理部２０４の作成部２０４ａは、ＬＦＲ用テーブルを作成することができる。
【００５４】
なお、ファイルシステム１０６を改良して、図１２に示されるように、マウントポイントを変えて、同時に記録媒体１１０を、ＨＦＲ用テーブルでマウントし、ＬＦＲ用テーブルでマウントすることで、同一の映像ファイルを、同時に高フレームレートと低フレームレートとで再生することが可能になる（ディレクトリツリー３４０）。
【００５５】
なお、映像ファイルなどをパソコンなどに転送するときに、ＦＡＴ１１１がＨＦＲ用テーブルからＬＦＲ用テーブルに切り替わるとしてもよい。例えば、図１３に示されるように、映像ファイルなどをＰＣ１６０に転送するＰＣモードにモードが切り替わったとする。このとき、記録再生装置４００は、ＦＡＴ１１１をＨＦＲ用テーブルからＬＦＲ用テーブルに切り替える。高フレームレートで記録した映像データを低フレームレートで記録した映像データのように記録媒体１１０から読み出してＰＣ１６０に転送する。
【００５６】
なお、配置情報処理部１０４の切替部１０４ｂと同等の機能が記録再生装置１００以外の他の装置に備わるとしてもよい。例えば、図１４に示されるように、テレビ５５０は、記録再生装置１００を介さずとも、記録媒体１１０から映像ファイルなどを直接読み出し再生することができるとする。この場合において、テレビ５５０は、配置情報処理部１０４の切替部１０４ｂと同等の機能を備えることで、高フレームレートで記録媒体１１０に記録された映像データを低フレームレートで再生することができる。
【００５７】
なお、ファイルシステム１０６がデータ管理領域１１０ａに記録されているＨＦＲ用テーブルをファイルシステム用メモリ１０７にキャッシュし、ファイルシステム用メモリ１０７にキャッシュしたＨＦＲ用テーブルをＦＡＴとして使用するとする。この場合において、切替部１０４ｂは、ファイルシステム用メモリ１０７にキャッシュされたＨＦＲ用テーブルを、データ記録領域１１０ｂに記録されているＬＦＲ用テーブルで書き換えることで、ＦＡＴを切り替えるとしてもよい。
【００５８】
なお、本実施の形態ではＦＡＴファイルシステムを用いたが、ＦＡＴファイルシステムでなくとも、記録媒体に記録されているファイルをブロック単位で管理するファイルシステムであれば適用できるのはいうまでもない。
【００５９】
以上、説明したように、本発明にかかる記録再生装置および記録再生方法では、高フレームレートの映像データを低フレームレートの映像データとして再生することが可能となり、フレームレートの高い映像データをフレームレートの低い映像データにしか対応していない再生装置で再生する場合に有効である。
【００６０】
（その他）
なお、本発明に係わる記録再生装置１００は、ＣＰＵ（Central Processing Unit）、システムＬＳＩ（Large Scale Integration）、ＲＡＭ（Random Access Memory）、ＲＯＭ（Read Only Memory）、ＨＤＤ（Hard Disk Drive）、ネットワークインターフェースなどを備えるとしてもよい。さらに、ＤＶＤ−ＲＡＭ、Ｂｌｕ−ｒａｙディスク、ＳＤ（Secure Digital）メモリカードのような可搬性の記録媒体に対して読み書き可能なドライブ装置を備えるとしてもよい。
【００６１】
なお、記録再生装置１００は、デジタルビデオカメラ、デジタルレコーダ、デジタルテレビ、ゲーム機、ＩＰ電話機、携帯電話機などのような組み込みシステムとしてもよい。
【００６２】
さらに、ＨＤＤまたはＲＯＭなどに、記録再生装置１００を制御するプログラム（以下、記録再生プログラムと呼称する。）がインストールされており、記録再生プログラムが実行されることによって、記録再生装置１００の各機能が実現されるとしてもよい。
【００６３】
なお、記録再生プログラムは、コンピュータシステム、組み込みシステムなどのようなハードウェアシステムに読み取り可能な記録媒体に記録されているとしてもよい。さらに、記録媒体を介して他のハードウェアシステムに読み出されて実行されるとしてもよい。これによって、記録再生装置１００の各機能を他のハードウェアシステムに実現することができる。ここで、コンピュータシステム読み取り可能な記録媒体として、光学記録媒体（例えば、ＣＤ−ＲＯＭなど。）、磁気記録媒体（例えば、ハードディスクなど。）、光磁気記録媒体（例えば、ＭＯなど。）、半導体メモリ（例えば、メモリカードなど。）などがある。
【００６４】
また、記録再生プログラムは、インターネット、ローカルエリアネットワークなどのようなネットワークに接続されているハードウェアシステムに保持されているとしてもよい。さらに、ネットワークを介して他のハードウェアシステムにダウンロードされて実行されるとしてもよい。これによって、記録再生装置１００の各機能を他のハードウェアシステムに実現することができる。ここで、ネットワークとして、地上放送網、衛星放送網、ＰＬＣ（Power Line Communication）、移動電話網、有線通信網（例えば、ＩＥＥＥ８０２．３など。）、無線通信網（例えば、ＩＥＥＥ８０２．１１など。）がある。
【００６５】
または、記録再生装置１００に実装される記録再生回路によって、記録再生装置１００の各機能が実現されるとしてもよい。
【００６６】
なお、記録再生回路は、フルカスタムＬＳＩ、ＡＳＩＣ（Application Specific Integrated Circuit）などのようなセミカスタムＬＳＩ、ＦＰＧＡ（Field Programmable Gate Array）やＣＰＬＤ（Complex Programmable Logic Device）などのようなプログラマブル・ロジック・デバイス、動的に回路構成が書き換え可能なダイナミック・リコンフィギュラブル・デバイスに形成されるとしてもよい。
【００６７】
さらに、記録再生装置１００の各機能を記録再生回路に形成する設計データは、ハードウェア記述言語によって記述されたプログラム（以下、ＨＤＬプログラムと呼称する。）としてもよい。さらに、ＨＤＬプログラムを論理合成して得られるゲート・レベルのネットリストとしてもよい。また、ゲート・レベルのネットリストに、配置情報、プロセス条件等を付加したマクロセル情報としてもよい。また、寸法、タイミング等が規定されたマスクデータとしてもよい。ここで、ハードウェア記述言語として、ＶＨＤＬ（Very high speed integrated circuit Hardware Description Language）、Ｖｅｒｉｌｏｇ−ＨＤＬ、ＳｙｓｔｅｍＣなどがある。
【００６８】
さらに、設計データは、コンピュータシステム、組み込みシステムなどのようなハードウェアシステムに読み取り可能な記録媒体に記録されているとしてもよい。さらに、記録媒体を介して他のハードウェアシステムに読み出されて実行されるとしてもよい。そして、これらの記録媒体を介して他のハードウェアシステムに読み取られた設計データが、ダウンロードケーブルを介して、プログラマブル・ロジック・デバイスにダウンロードされるとしてもよい。
【００６９】
または、設計データは、インターネット、ローカルエリアネットワークなどのようなネットワークに接続されているハードウェアシステムに保持されているとしてもよい。さらに、ネットワークを介して他のハードウェアシステムにダウンロードされて実行されるとしてもよい。そして、これらのネットワークを介して他のハードウェアシステムに取得された設計データが、ダウンロードケーブルを介して、プログラマブル・ロジック・デバイスにダウンロードされるとしてもよい。
【００７０】
または、設計データは、通電時にＦＰＧＡに転送され得るように、シリアルＲＯＭに記録しておくとしてもよい。そして、シリアルＲＯＭに記録された設計データは、通電時に、直接、ＦＰＧＡにダウンロードされるとしてもよい。
【００７１】
または、設計データは、通電時に、マイクロプロセッサによって生成されて、ＦＰＧＡにダウンロードされるとしてもよい。
【産業上の利用可能性】
【００７２】
本発明は、映像データをファイルとして記録媒体に記録し、ファイルとして記録媒体に記録されている映像データの記録位置が登録されているファイル管理情報を記録媒体に記録し、再生時にはファイル管理情報に基づいて、ファイルとして記録媒体に記録されている映像データを再生する記録再生装置などとして、利用することができる。
【図面の簡単な説明】
【００７３】
【図１】本発明に係わる実施の形態における記録再生装置の概要を示す図である。
【図２】本発明に係わる実施の形態における記録再生装置の構成を示す図である。
【図３】本発明に係わる実施の形態における記録再生装置の記録時の概要を示す図である。
【図４】本発明に係わる実施の形態におけるクリップのディレクトリ配置を示す図である。
【図５】本発明に係わる実施の形態におけるＨＦＲ用クリップファイルのデータ構造を示す図である。
【図６】本発明に係わる実施の形態におけるＬＦＲ用クリップファイルのデータ構造を示す図である。
【図７】本発明に係わる実施の形態におけるデータ記録領域に記録されているデータの配置と、各テーブルとの対応関係を示す図である。
【図８】本発明に係わる実施の形態における記録再生装置の切替時の概要を示す図である。
【図９】本発明に係わる実施の形態における記録再生装置の再生時の概要を示す図である。
【図１０】本発明に係わる実施の形態の変形例における記録再生装置の作成時の概要を示す図である。
【図１１】本発明に係わる実施の形態の変形例における低フレームレート用クリップファイルと低フレームレート用テーブルとの作成手順を示す図である。
【図１２】本発明に係わる実施の形態の変形例におけるクリップのディレクトリ配置を示す図である。
【図１３】本発明に係わる実施の形態の変形例における記録再生装置の切替時の概要を示す図である。
【図１４】本発明に係わる実施の形態の変形例における記録再生装置の一部機能を備える再生装置の例を示す図である。
【符号の説明】
【００７４】
１００，４００  記録再生装置
１０１  システム制御部
１０２  映像ファイル処理部
１０２ａ  記録部
１０２ｂ  再生部
１０３  音声ファイル処理部
１０３ａ  記録部
１０３ｂ  再生部
１０４，２０４  配置情報処理部
１０４ａ，２０４ａ  作成部
１０４ｂ  切替部
１０５，２０５  クリップ管理処理部
１０５ａ  ＨＦＲ用作成部
１０５ｂ，２０５ｂ  ＬＦＲ用作成部
１０６  ファイルシステム
１０７  ファイルシステム用メモリ
１０８  記録バッファメモリ
１０９  再生バッファメモリ
１１０  記録媒体
１１０ａ  データ管理領域
１１０ｂ  データ記録領域
１１１  ＦＡＴ
１２０  Ｉ／Ｏバス
１３０  入力部
１３１  エンコーダ
１３２  映像入力部
１３３  デコーダ
１３４  映像出力部
１３５  音声入力部
１３６  音声出力部
１５０，５５０  テレビ
１６０  ＰＣ
【図１】
2008283579.tif 000003
【図２】
2008283579.tif 000004
【図３】
2008283579.tif 000005
【図４】
2008283579.tif 000006
【図５】
2008283579.tif 000007
【図６】
2008283579.tif 000008
【図７】
2008283579.tif 000009
【図８】
2008283579.tif 000010
【図９】
2008283579.tif 000011
【図１０】
2008283579.tif 000012
【図１１】
2008283579.tif 000013
【図１２】
2008283579.tif 000014
【図１３】
2008283579.tif 000015
【図１４】
2008283579.tif 000016